(57)【要約】ヒンジ式蓋部を備えたタバコ製品用の剛体のパケットが、開放端部（４）を備えたコンテナ（３）と、該コンテナ（３）にヒンジ留めされていて前記開放端部（４）の開放位置と閉鎖位置との間で回動可能な蓋部（５）と、前記開放端部（４）から突出していて少なくとも二つの側方部材（１９）を備えるフレーム（１５）とを具備し、前記側方部材（１９）は前記蓋部（５）が閉鎖位置にあるときに蓋部（５）に備えられた対応するフランク面（１３）の内部に接触して係合するようになっている。蓋部（５）を閉鎖位置においてさらに堅固に保持するために、各フランク面（１３）の内部には、内方に曲げられる自由に突出する舌状部（５２）が設けられており、蓋部（５）が閉鎖位置まで戻るときに、舌状部（５２）は、フレーム（１５）の対応する側方部材（１９）に形成されたスリット（５４）により形成される開口部（５５）内に位置するようになっている。【選択図】図８
2005507675.tif 000002
【特許請求の範囲】
【請求項１】
開放端部（４）を備えたコンテナ（３）と、該コンテナ（３）にヒンジ留めされていて前記開放端部（４）の開放位置と閉鎖位置との間で回動可能な蓋部（５）と、前記開放端部（４）から突出していて少なくとも二つの側方部材（１９）を備えるフレーム（１５）とを具備し、前記側方部材（１９）は前記蓋部（５）が閉鎖位置にあるときに蓋部（５）に備えられた対応するフランク面（１３）の内部に接触して係合するようになっている、ヒンジ式蓋部を備えたタバコ製品用の剛体のパケットにおいて、
前記蓋部（５）の各フランク面（１３）の内部には、自由に突出する舌状部（５２）が備えられており、前記フレーム（１５）の前記各側方部材（１９）は、前記対応する舌状部（５２）の少なくとも一部分を収容する開口部（５５）を形成するスリット（５４）を備えているパケット。
【請求項２】
前記舌状部（５２）は前記蓋部（５）の内部を向いている請求項１に記載のパケット。
【請求項３】
前記各スリット（５４）は、前記蓋部が前記閉鎖位置まで戻るときに前記蓋部（５）の前記フランク面（１３）の内部を形成手段に結合させており、該形成手段によって、前記舌状部（５２）の前記一部分が圧縮されて保持される請求項１または２に記載のパケット。
【請求項４】
前記スリット（５４）は前記パケット（１）の長手方向軸線（Ａ）に対して略平行な方向に延びている請求項１から３のいずれか一項に記載のパケット。
【請求項５】
前記スリット（５４）がＣ字形状外形であり、それにより、前記フレーム（１５）から外方に突出していて前記パケット（１）の後方面（１２）に向けられるタブ（５６）を形成する請求項４に記載のパケット。
【請求項６】
前記スリット（５４）が前記パケット（１）の前記長手方向軸線（Ａ）に対して略垂直な方向に延びている請求項１から３のいずれか一項に記載のパケット。
【請求項７】
前記スリット（５４）が略直線状であり、前記スリットの前記縁部が引き離されるよう形成されるように、前記フレーム（１５）の前記側方部材（１９）が前記スリット（５４）に対応する変形部分（５８）を備えている請求項６に記載のパケット。
【請求項８】
前記舌状部（５２）が前記蓋部（５）の前記フランク面（１３）により備えられた内方パネル（３６）の最遠方部分に対応する請求項１から７のいずれか一項に記載のパケット。
【請求項９】
前記舌状部（５２）は、前記パネル（３６）に形成された折れ目線（５３）に沿って前記蓋部（５）の内部に向かって曲げられている請求項８に記載のパケット。
【請求項１０】
前記舌状部（５２）は、前記パネル（３６）の塑性変形領域５７に沿って前記蓋部（５）の内部に向かって曲げられている請求項８に記載のパケット。
【請求項１１】
前記舌状部（５２）は少なくとも一つの尖頭を備えるように整形されており、該尖頭は、前記スリット（５４）により形成された前記開口部（５５）に前記舌状部（５２）を挿入させられる請求項１から１０のいずれか一項に記載のパケット。
【請求項１２】
面取りされた長手方向角縁部（４４、４６）を備えている請求項１から１１のいずれか一項に記載のパケット。
【請求項１３】
丸みが付けられた長手方向角縁部（４４、４６）を備えている請求項１から１１のいずれか一項に記載のパケット。
【請求項１４】
前記長手方向角縁部（４４）のそれぞれは内方に向かう凹面を備えた横断方向湾曲形状のバンド（４８）を備えており、該バンドによって、前記パケット（１）の一つの主要面（７、１１、８、１２）の中心部分（４９）は鋭利な角縁部（５０）に沿って隣接したフランク面（９、１３）に連結されている請求項１から１１のいずれか一項に記載のパケット。
【請求項１５】
相互に平行な二つの対をなして配置された四つの側方面（７、１１、８、１２、９、１３）と、相互に平行に配置されていて前記側方面（７、１１、８、１２、９、１３）に対して垂直な二つの端面（１０、１４）とを画成する四つの長手方向角縁部（４４）を備えた略平行六面体形状である請求項１から１４のいずれか一項に記載のパケット。
【請求項１６】
断面が略三角形状の角柱形状である請求項１から１４のいずれか一項に記載のパケット。
【請求項１７】
厚紙または類似材料からなる平坦なダイカットの素材片（２０、４０）から形成される請求項１から１６のいずれか一項に記載のパケット。
【発明の詳細な説明】
【技術分野】
【０００１】
本発明はヒンジ式蓋部を備えたタバコ製品用の剛体のパケットに関する。
【背景技術】
【０００２】
特に、本発明は、対向していて相互に平行な前方面および後方面と、相互に平行であって前方面および後方面に対して垂直に配置された二つのフランク面と、前方面と後方面とフランク面と開放頂端部とに対して垂直な底端面とを備えたカップ状コンテナを具備する形式のヒンジ式蓋部を備えたタバコ製品用のパケットに関する。パケットはさらに、開放端部の頂縁部に対応する前述した後方面の縁部に沿ってコンテナにヒンジ留めされていて同様にカップ状形状の蓋部も具備している。この蓋部は、コンテナの開放頂端部が隠れる位置に向かっておよびこの位置から離れるようにヒンジ回りに回動可能である。蓋部は、対向していて相互に平行な前方面および後方面と、相互に平行であって前方面および後方面に対して垂直に配置された二つのフランク面と、前方面と後方面とフランク面とに対して垂直な面とを備えていて、パケットの頂端面を構成している。
【０００３】
さらにパケットは、Ｕ字形状を形成するよう曲げられた堅固なフレームも具備しており、このフレームは、コンテナの前方面とフランク面との内部に接触するよう配置されていてコンテナの内部に位置している。さらに、フレームは、胸状部材と、各角縁部に沿って胸状部材に接合された二つの側方部材とを備えている。胸状部材および側方部材の両方はコンテナの開放頂端部から上方に突出して蓋部に部分的に係合する。
【０００４】
前述した形式の剛体のパケットにおけるフレームの主要な機能は、蓋部が偶発的に開放する可能性を少なくするために蓋部の干渉の度合いを確保することであると考えられている。
【０００５】
この干渉を最大限にして閉鎖位置におけるヒンジ式蓋部を可能な限り安定に維持するために、従来技術はフレームの角縁部における切欠式Ｃ字形状スリット手段を含んでいる。各スリットは、蓋部が閉鎖位置にあるときに蓋部の関連するフランク面の内部に向かって突出すると共にこれに係合するタブをそれぞれ備えており、それにより、干渉の度合いを高めることができる。
【発明の開示】
【発明が解決しようとする課題】
【０００６】
ヒンジ式蓋部を閉鎖位置に保持する保持方法は、鋭利な長手方向角縁部を備えた平行六面体形状により典型的な通常の剛体のパケットの場合には十分に有効であることが分かっている。しかしながら、このことは、例えば丸みが付けられた長手方向角縁部または面取りされた長手方向角縁部を備えるよう形成されたパケットの場合、つまり、パケットのために選択された特別な形状であるために、Ｃ字形状スリットにより形成されたタブが蓋部を閉鎖位置で安定かつ正確に保持するように蓋部のフランク面に干渉することができないという全ての形式のパケットの場合には有効ではない。
【０００７】
本発明の目的は、前述した欠点の影響を受けないようにしたヒンジ式蓋部を備えたタバコ製品用の剛体のパケットを提供することである。
【課題を解決するための手段】
【０００８】
前述した目的は、本発明に基づく、開放端部を備えたコンテナと、該コンテナにヒンジ留めされていて前記開放端部の開放位置と閉鎖位置との間で回動可能な蓋部と、前記開放端部から突出していて少なくとも二つの側方部材を備えるフレームとを具備し、前記側方部材は前記蓋部が閉鎖位置にあるときに蓋部に備えられた対応するフランク面の内部に接触して係合するようになっている、ヒンジ式蓋部を備えたタバコ製品用の剛体のパケットにおいて、前記蓋部の各フランク面の内部には、自由に突出する舌状部が備えられており、前記フレームの前記各側方部材は、前記対応する舌状部の少なくとも一部分を収容する開口部を形成するスリットを備えているパケットによって達成される。
【発明を実施するための最良の形態】
【０００９】
添付図面を参照することによって本発明の実施例を詳細に説明する。
図１、図２、図３、図４および図５を参照すると、タバコ製品用のパケット１またはカートンが、例えば内方包装材２により封入された一群のタバコ（図示しない）を収容する役目を果たす剛体のパケットを構成している。あるいは、パケット１またはカートンがタバコの複数のパケットを収容する役目を果たしていても良い。
【００１０】
パケット１は、開放した頂端部４とカップ状形態の蓋部５とを含んだカップ状形態のコンテナ３を具備しており、蓋部５は関連するヒンジ線６に沿ってコンテナ３に取り付けられていて、頂端部４の開放位置と閉鎖位置との間で回動可能になっている。
【００１１】
コンテナ３は前方面７と、後方面８と、二つのフランク面９と底端面１０とを備えている。同様に蓋部５は前方面１１と、後方面１２と、二つのフランク面１３と、頂端面１４とを備えている。
【００１２】
単一のパケット１には、コンテナ３に固定されたフレーム１５が備え付けられており、フレーム１５はコンテナ３の内方に配置された下方部分１６と、コンテナ３の開放頂端部４から上方に突出する突出部分１７とを含んでいる。
【００１３】
さらに正確には、フレーム１５はコンテナ３の前方面７の内部に部分的に接触するよう配置された胸状部材１８と、コンテナ３のフランク面９の内部に部分的に固定された二つの側方部材１９とを備えている。
【００１４】
フレーム１５の胸状部材１８はＵ字形状外形縁部により上方側で区切られていて、蓋部５を向いた切欠部を形成している。
【００１５】
図６を参照すると、略矩形外形の平坦なダイカットの素材片２０は、例えば図３および図４の実施例により示されるように剛体のパケットを形成するために通常の手順により折り返される。
【００１６】
素材片２０は予め形成された二つの長手方向折れ曲げ領域２１と、複数の横断方向折れ目線２２、２３、２４、２５、２６、２７とを備えている。これら横断方向折れ目線は前述した長手方向折れ曲げ領域２１に協働して、対応する複数の中心パネル２８、２９、３０、３１、３２、３３を形成し、次いでこれらパネルはコンテナ３ならびに蓋部５の前方面７、１１、後方面８、１２および底端面１０、１４をそれぞれ形成する。横断方向折れ目線２７は最遠方のパネル３３と補強用端部折り返し部３３ａとの間で隔離線を形成しており、この隔離線はパネル３３に対して二回でかつ平坦に曲げられて、蓋部５を堅固にする。
【００１７】
二つの長手方向折れ曲げ領域２１は中心パネル２８、３０、３１、３３と対応する横方向パネル３４、３５、３６、３７のそれぞれの対との間の境界線を形成している。最終的に、或る対の横方向パネル３５はパネル３４に向かって延びるフラップ３８をそれぞれ備えており、他の対の横方向パネル３６はパネル３７に向かって延びるフラップ３９をそれぞれ備えている。
【００１８】
長い方の横方向パネル３４、３５は重畳してコンテナ３のフランク面９を構成するよう形成されており、短い方の横方向パネル３６、３７は重畳して蓋部５のフランク面１３を構成するよう形成されている。さらに正確には、一方の長い方の対のパネル３４は他方の長い方の対のパネル３５の上方に配置され、関連するフラップ３８は、コンテナ３の底端面１０を構成するパネル２９にこれらパネル３５を接合する役目を果たす。同様に、一方の短い方の対のパネル３７は他方の短い方の対のパネル３６の上方に配置され、関連するフラップ３９は、蓋部５の頂端面１４を構成するパネル３２にこれらパネル３６を接合する役目を果たす。従って、パネル３５の対はコンテナ３のフランク面９の最も内側に位置するようになり、パネル３６の対は蓋部５のフランク面１３の最も内側に位置するようになる。
【００１９】
図７を参照すると、パケット１のフレーム１５が平坦なダイカットの素材片４０から折り返されている。素材片４０はフレーム１５の胸状部材１８を形成する中心パネル４１と、側方部材１９を形成する二つの横方向パネル４２とを備えている。二つの横方向パネル４２は予め長手方向に形成された折れ曲げ領域４３のそれぞれに沿って中心パネル４１に接合されている。
【００２０】
図３および図４のパケットを素材片２０、４０から形成するのを示している特に図６および図７の実施例においては、前述した折れ曲げ領域２１、４３は複数の長手方向折れ目線から構成されており、図１、図２および図５に示されるパケットの場合については、関連する素材片（図示しない）の対応する折れ曲げ領域２１、４３は、図１におけるパケット１の場合に単一の長手方向曲げ線として、図２におけるパケット１の場合に一対の長手方向曲げ線として、および図５におけるパケット１の場合に複数の長手方向曲げ線としてそれぞれ示されている。
【００２１】
平坦な素材片をそれぞれ折り返すことにより形成されたパケットは全て略平行六面体の外観であって、図１の場合には鋭利な縁部４５として示されていて、図２の場合に面取りされた縁部４６として示されていて、図３および図４の場合に丸みが付けられた縁部４７として示されている長手方向角縁部４４を備えており、さらに最終的に図５の場合には各長手方向角縁部４４は横断方向に湾曲した形状のバンド４８として示されている。バンド４８は内方を向いた凹面を備えるよう配置されていて、前方面７、１１の中心部分４９をコンテナ３および蓋部５のフランク面９、１３にを通じてコンテナ３および蓋部５の後方面８、１２に相互に連結している。バンド４８は対応する鋭利な角縁部５０に沿って接合されている。
【００２２】
図６に示されるように、横方向パネル３６のそれぞれは関連する長手方向折れ曲げ領域２１に接合する大型部分５１と、パネル３６を横切って延びる折れ目線５３によって大型部分５１から区別される舌状部５２を形成する小型外方部分とを備えている。パケット１が素材片を折り返すことによって直立にされるときに、各大型部分５１の外面は関連して重畳するパネル３７の内面に接触すると共に関連する舌状部５２は折れ目線５３回りで自由に回動するように残っており、従って、図８に有利に示されるように舌状部５２は蓋部５の内部に向かって内方に曲げられる。蓋部５が閉鎖されるときに対応する舌状部５２の少なくとも一部分が進入可能な開口部５５を形成するために、フレーム１５の側方部材１９を構成する二つの横方向パネル４２のそれぞれは、「Ｃ」字形状に形成されていてパケットの長手方向軸線Ａに対して略平行に配置されたスリットを備えている。
【００２３】
さらに正確には、図１から図５ならびに図８、図９および図１２において識別できるように、パケットが折り返されてそのまま位置決めされるときに、スリット５４は自由縁部が蓋部５の後方面１２を向いた状態で側方部材１９から外方に突出するタブ５６を形成する。
【００２４】
関連する開口部５５における困難を伴うことなしに舌状部５２を配置できるようにするために、小型部分のパネル３６は少なくとも一つの尖頭を形成すように整形されている。さらに、蓋部５が閉鎖されるときはいつでも、フレーム１５の二つの側方部材１９は蓋部５の対応するフランク面１３の内部に係合して堅固に接触したままになり、その結果、タブ５６はフレーム１５の側方部材１９に向かって戻るよう付勢され、従って、タブ５６は、舌状部５２が関連する開口部５５に挿入されるときに各舌状部５２を圧縮して所定の位置に保持する要素としての役目を果たす。蓋部５が完全に閉鎖されるときに最大となる圧縮による影響は、開口部５５に挿入されて閉鎖位置で蓋部を正確に保持する舌状部５２の一部分をつまんで把持することである。
【００２５】
図９の実施例においては、舌状部５２は蓋部５の内部に向かって、塑性変形領域５７に沿って曲げられ、その結果、フランク面１３によって占められる面に対して略平行な面を占めるようになる。
【００２６】
図１０および図１１の実施例においては、スリット５４はパケット１の長手方向軸線Ａに対してほぼ垂直な方向に延びていてほぼ直線状になっている。さらに、フレーム１５の各側方部材１９は変形部分５８を備えており、この変形部分５８はスリット５４に隣接して配置されていると共に、このスリットの縁部を引き離すように整形されている。
【００２７】
最終的に、図１２は断面が三角形の角柱形状である剛体のパケット１を示しており、図１から図５のパケット１に関連する舌状部５２およびスリット５４の説明をあらゆる観点において同様に適用することができる。
【図面の簡単な説明】
【００２８】
【図１】本発明に基づいて異なるスタイルで具体化された剛体のパケットを略して示す斜視図であり、明確にするために特定の部品を省略している。
【図２】本発明に基づいて異なるスタイルで具体化された剛体のパケットを略して示す斜視図であり、明確にするために特定の部品を省略している。
【図３】本発明に基づいて異なるスタイルで具体化された剛体のパケットを略して示す斜視図であり、明確にするために特定の部品を省略している。
【図４】本発明に基づいて異なるスタイルで具体化された剛体のパケットを略して示す斜視図であり、明確にするために特定の部品を省略している。
【図５】本発明に基づいて異なるスタイルで具体化された剛体のパケットを略して示す斜視図であり、明確にするために特定の部品を省略している。
【図６】特に図４のパケットを形成するために使用される二つの平坦なダイカットの素材片の平面図である。
【図７】特に図４のパケットを形成うるために使用される二つの平坦なダイカットの素材片の平面図である。
【図８】本発明に基づくパケットの詳細の拡大斜視図であり、明確にするために特定の部品を省略している。
【図９】本発明に基づくパケットの詳細の拡大斜視図であり、明確にするために特定の部品を省略している。
【図１０】図８および図９のような本発明に基づくパケットの詳細の拡大斜視図であり、明確にするために特定の部品を省略している。
【図１１】図８および図９のような本発明に基づくパケットの詳細の拡大斜視図であり、明確にするために特定の部品を省略している。
【図１２】本発明に基づく追加の実施形態のパケットの略斜視図であり、明確にするために特定の部品を省略している。
【国際公開パンフレット】
2005507675.tif 000003
2005507675.tif 000004
2005507675.tif 000005
2005507675.tif 000006
2005507675.tif 000007
2005507675.tif 000008
2005507675.tif 000009
2005507675.tif 000010
2005507675.tif 000011
2005507675.tif 000012
2005507675.tif 000013
2005507675.tif 000014
2005507675.tif 000015
2005507675.tif 000016
2005507675.tif 000017
2005507675.tif 000018
2005507675.tif 000019
2005507675.tif 000020
2005507675.tif 000021
2005507675.tif 000022
【国際調査報告】
2005507675.tif 000023
2005507675.tif 000024
2005507675.tif 000025